(57)【要約】    【課題】可動演出体の作動と画像表示部に表示された演出画像との他に、可動演出体を支持する可動アームを活用して、可動アームで画像表示部の演出画像の妨げとなることなく調和のとれた効果的な演出を行えるようにする。    【解決手段】画像を表示する画像表示手段１３と、この画像表示手段１３の画像表示部２０よりも前側で可動アーム２３の先端に設けられ且つ画像表示部２０側に突出する演出位置Ａとこの画像表示部２０から退避する退避位置Ｂとの間で出退移動可能な可動演出体２４とを備え、可動アーム２３は該可動アーム２３を裏側から発光させる発光素子５０をその長手方向に複数個備え、可動演出体２４が演出位置Ａへと作動した際に、発光素子５０による可動アーム２３の発光と画像表示部２０に表示される演出画像２７とにより可動演出体２４を中心として所定の演出を行う。【選択図】  図２
2012166104.tif 000002
【特許請求の範囲】
【請求項１】
画像を表示する画像表示手段（１３）と、該画像表示手段（１３）の画像表示部（２０）よりも前側で可動アーム（２３）の先端に設けられ且つ前記画像表示部（２０）側に突出する演出位置（Ａ）と該画像表示部（２０）から退避する退避位置（Ｂ）との間で出退移動可能な可動演出体（２４）とを備え、前記可動アーム（２３）は該可動アーム（２３）を裏側から発光させる発光素子（５０）をその長手方向に複数個備え、前記可動演出体（２４）が前記演出位置（Ａ）へと作動した際に、前記発光素子（５０）による前記可動アーム（２３）の発光と前記画像表示部（２０）に表示される演出画像（２７）とにより所定の演出を行うようにしたことを特徴とする弾球遊技機。
【請求項２】
前記可動演出体（２４）が前記演出位置（Ａ）へと作動した際に、前記可動アーム（２３）の発光と前記演出画像（２７）とにより前記可動演出体（２４）を中心として前記所定の演出を行うようにしたことを特徴とする請求項１に記載の弾球遊技機。
【請求項３】
前記演出位置（Ａ）は前記画像表示部（２０）の略中央であり、前記可動アーム（２３）は略真っ直ぐであり、前記演出画像（２７）は前記画像表示部（２０）の少なくとも前記可動アーム（２３）側以外の部分で前記可動演出体（２４）の周囲に放射状に複数本表示されていることを特徴とする請求項２に記載の弾球遊技機。
【請求項４】
前記可動アーム（２３）は光透過性を有すると共に発光表示部（５１）に対応して外面又は内面に形成された乱反射部（５４）を有し、該可動アーム（２３）の裏側の凹部（４８）内に、前記画像表示部（２０）に対して略直角方向に配置された基板（４９）を前記可動アーム（２３）の長手方向に沿って設け、該基板（４９）の板厚方向の一側面の前端側にその長手方向に所定の間隔をおいて複数個の前記発光素子（５０）を配置したことを特徴とする請求項１〜３の何れかに記載の弾球遊技機。
【請求項５】
前記可動アーム（２３）は前壁部（５２）と、該前壁部（５２）の両側に配置された一対の側壁部（５３）と、該一対の側壁部（５３）に跨がって形成された連結リブ（５５）とを有し、前記連結リブ（５５）に裏側から切り欠き形成されたスリット（５６）に前記基板（４９）を挿入したことを特徴とする請求項４に記載の弾球遊技機。
【発明の詳細な説明】
【技術分野】
【０００１】
本発明は、パチンコ機等の弾球遊技機に関し、画像表示手段と可動演出体とを組み合わせて遊技状態を演出するようにしたものである。
【背景技術】
【０００２】
パチンコ機等の弾球遊技機には、遊技盤の遊技領域の略中央部に画像表示手段を配置すると共に、この画像表示手段の周縁側の表示ケースに特別図柄表示手段と可動演出体とを配置し、特定の遊技状態のときに可動演出体の作動と、この作動に同期して画像表示手段に表示される演出画像とを組み合わせて、その遊技状態の演出を行うようにしたものがある（特許文献１）。
【０００３】
この弾球遊技機では、特別図柄始動手段が遊技球を検出すると、特別図柄表示手段の特別図柄が所定時間変動して大当たり態様、外れ態様の何れかで停止する。一方、特別図柄の変動に同期して画像表示手段の複数個（例えば３個）の演出図柄が所定の変動パターンで所定時間変動して、変動後の特別図柄が大当たり態様となる場合には全てが揃う大当たり演出態様で停止し、また特別図柄が外れ態様となる場合には少なくとも１個が異なる外れ演出態様で停止する。
【０００４】
そして、変動中の演出画像の変動パターンが変動後に大当たり演出態様となる信頼度の高い特定の変動パターンの場合に、１個の演出図柄を除く他の演出図柄が揃うリーチになれば、画像表示手段の表示ケースに可動アームを介して出退自在に備えられた可動演出体が作動して画像表示手段の画像表示部側に突出し、この可動演出体の作動に同期して画像表示手段の画像表示部に特定の演出画像を表示して、可動演出体の作動と画像表示部の演出画像とを組み合わせて、変動後に大当たりとなる可能性が高いことを予告する予告演出を行う。
【特許文献１】特開２００７−２２２３４９号公報
【発明の開示】
【発明が解決しようとする課題】
【０００５】
従来の演出は可動演出体の作動と画像表示手段の演出画像とを組み合わせているものの、可動演出体が画像表示部に対して出退するだけであって、可動演出体を支持する可動アームが画像表示部に表示される演出画像の妨げになる等、必ずしも画像表示部側の演出画像と調和のとれた演出とはなっていない。
【０００６】
本発明は、このような従来の問題点に鑑み、可動演出体の作動と画像表示部に表示された演出画像との他に、可動演出体を支持する可動アームを活用して、可動アームで画像表示部の演出画像の妨げとなることなく調和のとれた効果的な演出を行うことができる弾球遊技機を提供することを目的とする。
【課題を解決するための手段】
【０００７】
本発明は、画像を表示する画像表示手段１３と、該画像表示手段１３の画像表示部２０よりも前側で可動アーム２３の先端に設けられ且つ前記画像表示部２０側に突出する演出位置Ａと該画像表示部２０から退避する退避位置Ｂとの間で出退移動可能な可動演出体２４とを備え、前記可動アーム２３は該可動アーム２３を裏側から発光させる発光素子５０をその長手方向に複数個備え、前記可動演出体２４が前記演出位置Ａへと作動した際に、前記発光素子５０による前記可動アーム２３の発光と前記画像表示部２０に表示される演出画像２７とにより所定の演出を行うようにしたものである。
【発明の効果】
【０００８】
本発明によれば、可動演出体２４の作動と画像表示部２０に表示された演出画像２７との他に、可動演出体２４を支持する可動アーム２３を活用して、可動アーム２３で画像表示部２０の演出画像２７の妨げとなることなく調和のとれた効果的な演出を行うことができる利点がある。
【発明を実施するための最良の形態】
【０００９】
以下、本発明の実施形態を図面に基づいて詳述する。図１〜図１２は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１０】
前面板６の前側には発射用の遊技球を貯留する球供給皿８が配置され、その側方に遊技球を発射する発射手段（図示省略）の発射ハンドル９が設けられている。ガラス扉５の裏側には、このガラス扉５に対応するように前枠４に遊技盤１０（図２参照）が着脱自在に装着されている。
【００１１】
遊技盤１０の前面には、図２に示すように、発射手段から発射された遊技球を案内するガイドレール１１が略円弧状に配置されると共に、そのガイドレール１１の内側の遊技領域１２に画像表示手段１３、普通図柄始動手段１４、特別図柄始動手段１５、大入賞手段１６、普通入賞手段１７等の各種の遊技部品が配置されている。なお、遊技領域１２はガラス扉５の窓孔１８に対応している。
【００１２】
画像表示手段１３は例えば遊技領域１２の略中央に配置されており、遊技盤１０に装着された表示ケース１９と、この表示ケース１９の略中央に配置された液晶式等の画像表示部２０とを備えている。表示ケース１９には普通図柄表示手段２１、特別図柄表示手段２２が設けられると共に、可動アーム２３により支持された可動演出体２４が画像表示部２０に対して出退自在に設けられている。なお、普通図柄表示手段２１、特別図柄表示手段２２はその一方又は双方を遊技盤１０に装着された他の遊技部品に設けてもよい。
【００１３】
普通図柄表示手段２１は普通図柄を変動表示するためのもので、複数種類の普通図柄（例えば２種類の「○」「×」）に対応する複数個の発光素子により構成されており、普通図柄始動手段１４が遊技球を検出することを条件に２つの発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１４】
特別図柄表示手段２２は、１個又は複数個、例えば１個の特別図柄を変動表示可能な７セグメント式等の表示手段により構成されており、特別図柄始動手段１５が遊技球を検出することを条件に特別図柄を所定時間変動表示して、特別図柄始動手段１５の遊技球の検出時に抽選された乱数値が予め定められた大当たり乱数値と一致した場合に所定の大当たり態様で、それ以外の場合に外れ態様で停止するようになっている。
【００１５】
画像表示部２０は矩形状、その他の形状であって、図２に二点鎖線で示し、また図１０に示すように遊技中は演出図柄２５ａ〜２５ｃとその背景画像２６とが表示され、また特定の遊技状態の場合には図２に示すように可動演出体２４の作動と同期して予告演出画像２７が表示される
演出図柄２５ａ〜２５ｃは画像表示部２０の適当な位置に複数個、例えば３個表示され、その各演出図柄２５ａ〜２５ｃは特別図柄表示手段２２の特別図柄の変動に同期して変動を開始し、所定の変動パターンを経て所定時間変動した後、特別図柄の変動終了に同期して所定の順序で順次停止する。演出図柄２５ａ〜２５ｃの変動後の停止図柄は、特別図柄表示手段２２の特別図柄が大当たり態様で停止する場合には全てが揃う大当たり演出態様となり、特別図柄が外れ態様で停止する場合には少なくとも一部が異なる外れ演出態様となる。例えば、特別図柄が大当たり態様で停止する場合には演出図柄２５ａ〜２５ｃは「７・７・７」等で停止し、特別図柄が外れ態様で停止する場合には演出図柄２５ａ〜２５ｃは「３・４・５」等で停止する。
【００１６】
特別図柄始動手段１５は固定式入賞口２８と電動チューリップ等の可変式入賞口２９とを上下に備えている。可変式入賞口２９は普通図柄表示手段２１の変動後の普通図柄が当たり態様を停止表示したときに所定時間開放するようになっている。
【００１７】
画像表示手段１３の表示ケース１９は、図３、図４に示すように開口３０に対応して遊技盤１０の前面に装着された前飾り体３１と、開口３０に対応して遊技盤１０の裏面に装着された支持枠３２とを備えている。
【００１８】
支持枠３２には矩形状等の表示窓３３が形成され、その表示窓３３に対応して支持枠３２の裏側に画像表示部２０が装着されている。表示ケース１９には画像表示部２０の上側で前飾り体３１と支持枠３２との間に所定の空間３４があり、可動演出体２４、可動アーム２３は通常この空間３４に収まって前から前飾り体３１により覆われている。
【００１９】
なお、この画像表示手段１３は前飾り体３１と支持枠３２とを遊技盤１０に対して前後両側から装着するようにしているが、前飾り体３１と支持枠３２とを結合して、その支持枠３２が開口３０に嵌合するように遊技盤１０に対して前側から装着するようにしてもよい。
【００２０】
可動演出体２４は正面視丸形等の所定形状であって、略真っ直ぐな棒状の可動アーム２３の先端に設けられており、駆動手段３５の駆動により、画像表示部２０の略中央の演出位置Ａと、画像表示部２０の上側に外れた退避位置Ｂとの間で可動アーム２３を介して出退移動自在である。可動演出体２４、可動アーム２３は共に発光式であり、退避位置Ｂから演出位置Ａへと作動した際に、その作動に同期して可動演出体２４、可動アーム２３が発光すると共に、これらの発光に同期して画像表示部２０に予告演出画像２７が表示されて、その可動アーム２３の発光と画像表示部２０の予告演出画像２７とにより、発光状態の可動演出体２４を中心として予告演出を行うようになっている。
【００２１】
可動演出体２４は図５〜図８に示すように、前面側の発光表示部３６に装飾模様その他の演出表示３７が付され且つ光透過性を有する合成樹脂製の発光カバー３８と、この発光カバー３８を裏側から支持する環状等の支持部３９と、この支持部３９に設けられ且つ発光カバー３８の発光表示部３６を裏側から発光させる複数個のＬＥＤ等の発光素子４０とを備えている。発光カバー３８の裏面には、発光素子４０からの光により発光表示部３６を発光させる凹凸状の乱反射部４１が設けられている。なお、乱反射部４１に代えて拡散板を設けてもよい。
【００２２】
発光カバー３８の裏側にはその外周部に支持部３９が略同心状に当接し、周方向に複数個の取り付け部４３，４４を介してネジ等の固定具４５により裏側から結合されている。支持部３９は可動アーム２３の先端に一体に設けられている。発光素子４０は基板４６の前面に分散して装着されており、また基板４６は支持部３９の裏側に固定具４５により固定されている。
【００２３】
なお、この実施例では、可動演出体２４の裏側を基板４６により塞ぐようになっているが、前側が開放する有底円筒状の支持部３９を用いて、この支持部３９の底部で可動演出体２４の裏側を塞ぐようにすると共に、支持部３９内に底部と略平行に基板４６を配置してもよい。
【００２４】
可動アーム２３は光透過性を有する合成樹脂製であって、可動演出体２４が演出位置Ａへと作動した際に、裏側の凹部４８内に基板４９を介して配置された発光素子５０により、前飾り体３１から画像表示部２０側に露出する略全体の発光表示部５１を発光させるようになっている。なお、可動アーム２３の発光表示部５１は露出部分の一部に１箇所又は長手方向の複数箇所に設けてもよい。。
【００２５】
可動アーム２３は図５〜図８に示すように前壁部５２と、この前壁部５２の幅方向の両側から裏側へと後ろ広がり状に屈曲する一対の側壁部５３とを一体に備えた略断面Ｕ字状であって、その裏側に長手方向に沿って凹部４８が形成されている。また可動アーム２３の外面には、発光表示部５１の前壁部５２を含む一対の側壁部５３に跨がって筋模様その他の凹凸状の乱反射部５４が形成され、この乱反射部５４で発光素子５０からの光を乱反射させて発光表示部５１を発光させるようになっている。なお、乱反射部５４は可動アーム２３の内面に設けてもよい。
【００２６】
可動アーム２３の裏側には前壁部５２と一対の側壁部５３とを一体に連結する幅方向の連結リブ５５が長手方向の複数箇所に設けられ、また基板４９は各連結リブ５５の略中央に切り欠き形成されたスリット５６に裏側から圧入等により挿入され、可動演出体２４側の端部がその基板４６により裏側から押えられて固定されている。基板４９は凹部４８の深さ内に収まる帯状であって、画像表示手段１３の画像表示部２０に対して略直角方向に配置され可動アーム２３の長手方向に沿って設けられている。
【００２７】
発光素子５０は基板４９の板厚方向の一側面の前端部側に長手方向に所定の間隔をおいて複数個装着されている。可動アーム２３の前壁部５２と基板４９の前端との間には所定の隙間があり、この隙間を介して発光素子５０からの光の一部が基板４９に対して発光素子５０と反対側の側壁部５３側へと拡散するようになっている。従って、基板４９の片面に発光素子５０があるにも拘らず、その発光素子５０により反対側の側壁部５３を含む発光表示部５１の全体を発光させることが可能である。
【００２８】
なお、基板４９をスリット５６に遊嵌する場合には、基板４９の端部を基板４６で押えると共に、その長手方向の両端を前壁部５２等のストッパー５２ａにより規制してもよい。可動演出体２４の発光素子４０は基板４６からコネクタ５８、ハーネス５９、コネクタ６０、基板４９等を介して、可動アーム２３の発光素子５０は基板４９を介して夫々制御系に接続されている。
【００２９】
可動アーム２３の基部は画像表示部２０の外側で支持台６２に前後方向の枢軸６３により揺動自在に支持され、クランク機構６４を含む連動機構６５を介してモータ等の駆動手段３５により上下方向に揺動するようになっている。支持台６２は前後に支持壁６６，６７を有するケース状であって、画像表示部２０に対して左右方向の一方側で且つ画像表示部２０の上部側又は画像表示部２０よりも上側等の適当箇所に配置され、画像表示手段１３の表示ケース１９側、例えば支持枠３２の取り付け面３２ａにネジ等の固定具で取り付けられている。
【００３０】
枢軸６３は支持台６２の前後の支持壁６６，６７に跨がって支架されている。駆動手段３５は支持台６２の支持壁６７の裏側に固定されている。連動機構６５はクランク機構６４の他に、駆動手段３５の駆動軸６８に固定された駆動ギヤー６９と、支軸７０により支持台６２に回転自在に設けられ且つ駆動ギヤー６９に噛合する従動ギヤー７１とを有する。
【００３１】
クランク機構６４は従動ギヤー７１に固定されたクランクピン７２と、可動アーム２３の基部側に設けられ且つクランクピン７２が摺動自在に係合する長孔等の摺動部７３とを有し、駆動手段３５の駆動により従動ギヤー７１が往復回転したときに、クランクピン７２及び摺動部７３を介して可動アーム２３を枢軸６３廻りに上下方向に揺動させるようになっている。
【００３２】
なお、可動アーム２３はバネ７４により上昇側である退避位置Ｂ側へと付勢されている。バネ７４には枢軸６３に巻き掛けから両端が可動アーム２３と支持台６２とに係合する捩じりバネが使用されているが、他の引っ張りバネ又は圧縮バネを使用してもよい。また支持台６２には可動アーム２３の原点位置、即ち可動演出体２４が退避位置Ｂのときの可動アーム２３の位置を検出する位置検出手段（図示省略）が設けられている。支持台６２と可動アーム２３との間に、可動アーム２３を原点位置で規制するストッパー機構７５を設けてもよい。
【００３３】
図９はパチンコ機の制御系を示す。パチンコ機の制御系は主制御基板８０と演出制御基板８１とを備えている。主制御基板８０はパチンコ機全体の遊技動作の制御を司るもので、普通図柄始動手段１４が遊技球を検出したときに乱数値を抽選して当たりか否かを判定し、当たりの場合に普通図柄表示手段２１の変動後の普通図柄が当たり態様で停止した後に特別図柄始動手段１５の可変式入賞口２９を所定時間開放させる普通図柄系制御手段８２の他に、乱数抽選手段８３、判定手段８４、特別図柄制御手段８５、停止態様決定手段８６、変動パターン決定手段８７、コマンド送信手段８８、特別遊技発生手段８９を備えている。
【００３４】
乱数抽選手段８３は特別図柄始動手段１５が遊技球を検出したときに乱数値を抽選し、判定手段８４は乱数抽選手段８３で抽選された乱数値を大当たり乱数値と照合して大当たりか否かを判定するようになっている。特別図柄制御手段８５は特別図柄始動手段１５の遊技球の検出を契機に特別図柄表示手段２２の特別図柄を所定時間変動させて、判定手段８４の判定結果が大当たりのときに大当たり態様で、外れのときに外れ態様で夫々停止すべく特別図柄を制御するようになっている。
【００３５】
停止態様決定手段８６は判定手段８４の判定結果が大当たりのときに演出図柄２５ａ〜２５ｃの停止態様を抽選し決定するためのものである。変動パターン決定手段８７は判定手段８４の判定結果が大当たりのときの大当たり変動パターンを、外れのときの外れ変動パターンを抽選し決定するためのもので、判定手段８４の判定結果に応じて予め定められた複数種類の大当たり変動パターン、外れ変動パターンの中から、そのときの演出図柄２５ａ〜２５ｃの変動に供する１つの変動パターンを選択し決定するようになっている。
【００３６】
大当たり変動パターン、外れ変動パターンには変動時間の長短、演出図柄２５ａ〜２５ｃの変動中のリーチの有無等に応じて夫々複数の種類のものがある。例えば、大当たり変動パターンには変動時間の違いによって大当たり変動パターン１、大当たり変動パターン２、大当たり変動パターン３、・・・等のように多種類のパターンが準備されており、また外れ変動パターンには変動時間の違い、リーチの有無によってリーチあり外れ変動パターン１、リーチあり外れ変動パターン２、リーチなし外れ変動パターン１、リーチなし外れ変動パターン２、・・・等のように多種類のパターンが準備されている。
【００３７】
なお、一般的にリーチあり外れ変動パターンはリーチなし外れ変動パターンに比較して変動時間が長く、またリーチあり外れ変動パターンの一部である１種類又は複数種類は、
大当たり変動パターンの変動時間に近い変動時間を有するものがある。また変動時間の長い変動パターンの場合には、変動時間の短いリーチあり変動パターン、リーチなし変動パターンに比較して出現率は低いが、変動後に特別図柄が大当たり態様となる信頼度が大になっている。
【００３８】
特別図柄制御手段８５は特別図柄始動手段１５の遊技球の検出を契機に特別図柄表示手段２２の特別図柄を変動させて、変動パターン決定手段８７で決定された変動パターンの変動時間に従って変動した後に、判定手段８４の大当たり、外れの判定結果に応じて特別図柄を大当たり態様、外れ態様の何れかで停止させるようになっている。コマンド送信手段８８は停止態様決定手段８６で決定された停止態様コマンド、変動パターン決定手段８７で決定された変動パターンコマンド、各変動パターン毎の変動停止コマンドを演出制御基板８１側へと一方向通信により送信するようになっている。
【００３９】
特別遊技発生手段８９は判定手段８４が大当たりと判定した場合に、特別図柄が大当たり態様で停止した後に遊技者に有利な特別遊技（大当たり遊技）を発生させるためのもので、例えば大入賞手段１６を所定時間ずつ複数開放させるようになっている。なお、特別遊技での大入賞手段１６の開閉パターン等は適宜決定することが可能である。また特別遊技では大入賞手段１６の開放に加えて、又は大入賞手段１６の開放とは別に、特別図柄の大当たり態様の種類を条件に大当たりの抽選確率を変える確率変動、その他の遊技者に有利な要素を付加してもよい。
【００４０】
演出制御基板８１には主制御基板８０から送信される各コマンドを解析して画像表示手段１３の画像表示部２０に表示される演出図柄２５ａ〜２５ｃ、背景画像２６、予告演出画像２７を制御し、また可動演出体２４の作動、可動アーム２３及び可動演出体２４の発光を制御するためのもので、コマンド受信手段９０、演出図柄制御手段９１、予告演出決定手段９２、演出画像制御手段９３、可動演出制御手段９４、発光演出制御手段９５等を備えている。
【００４１】
コマンド受信手段９０はコマンド送信手段８８から演出制御基板８１側に送信される各コマンドを受信して解析するためのものである。演出図柄制御手段９１は主制御基板８０からの変動パターンコマンドに従って特別図柄表示手段２２の特別図柄の変動に同期して演出図柄２５ａ〜２５ｃを所定の変動パターンで所定時間変動させて、停止コマンドがあったときに演出図柄２５ａ〜２５ｃを大当たり演出態様又は外れ演出態様で停止させるようになっている。なお、３個の演出図柄２５ａ〜２５ｃは、特別図柄が大当たり態様で停止する場合には全てが揃うように停止態様コマンドで指定された停止態様で停止し、それ以外の場合にはリーチの有無に応じて演出図柄制御手段９１側で選択された停止態様で停止する。
【００４２】
予告演出決定手段９２は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。
【００４３】
演出画像制御手段９３は変動パターンコマンドに従って複数種類の背景画像２６の何れかを選択して、演出図柄２５ａ〜２５ｃの背景画像２６を制御し、また予告演出決定手段９２が予告演出を決定した場合には演出図柄２５ａ〜２５ｃがリーチになった後に、可動演出体２４の作動、可動アーム２３等の発光に同期して、演出位置Ａにある可動演出体２４を中心とするＸ方向の内、可動アーム２３側を除く三方向に線状、帯状等の予告演出画像２７を発光表示するように制御する。なお、この予告演出画像２７は閃光的に表示してもよいし、点滅表示してもよい。また予告演出画像２７は線状、帯状の他、放射方向の複数箇所にスポット的に表示してもよい。
【００４４】
可動演出制御手段９４は可動演出体２４の作動による演出を制御するためのもので、予告演出決定手段９２が予告演出を決定して演出図柄２５ａ〜２５ｃがリーチになった場合に、駆動手段３５の駆動により可動演出体２４を退避位置Ｂから画像表示部２０の略中央の演出位置Ａへと移動させて、発光による演出後に可動演出体２４を退避位置Ｂへと戻すように制御する。なお、可動演出体２４は演出位置Ａで所定時間停止してもよいし、上下方向に一定範囲で揺動するようにしてもよい。また演出位置Ａに到達後、直ちに退避位置Ｂへと戻すようにしてもよい。
【００４５】
発光演出制御手段９５は可動演出体２４、可動アーム２３を発光制御するもので、予告演出決定手段９２が予告演出を決定して演出図柄２５ａ〜２５ｃがリーチになり可動演出体２４が演出位置Ａへと作動した際に、その作動に同期して発光素子４０，５０の発光により可動演出体２４と可動アーム２３とを発光させる。このときの可動演出体２４と可動アーム２３との発光は、画像表示部２０の予告演出画像２７と同時でもよい。また可動演出体２４を数回点滅発光させ、その点滅発光中に可動アーム２３の発光と画像表示部２０の予告演出画像２７の表示とを同時又は時間差をおいて行うようにしてもよい。
【００４６】
このパチンコ機では、遊技中に次のような制御並びに演出を行う。即ち、特別図柄始動手段１５が遊技球を検出すると、乱数抽選手段８３が乱数値を抽選し、その乱数値が大当たり乱数値と同じであるか否かにより判定手段８４が大当たりか否かの判定を行う。そして、判定結果が大当たりであれば、停止態様決定手段８６が演出図柄２５ａ〜２５ｃの停止態様を決定する。また判定結果が大当たりであれば、変動パターン決定手段８７が複数種類の大当たり変動パターンの何れかを選択し、外れであれば、変動パターン決定手段８７が複数種類の外れ変動パターンの何れかを選択する。
【００４７】
続いて特別図柄表示手段２２の特別図柄が変動を開始し、変動パターン決定手段８７で選択された変動パターンにより指定された変動時間だけ変動した後に、判定手段８４での大当たり、外れの判定結果に応じて大当たり態様、外れ態様の何れかで停止する。そして、判定手段８４が大当たりと判定した場合には、特別図柄が大当たり態様で停止した後に、特別遊技発生手段８９による特別遊技が発生して大入賞手段１６が複数回開放する等、遊技者は有利な状態で遊技を継続できる。
【００４８】
一方、停止態様決定手段８６が演出図柄２５ａ〜２５ｃの停止態様を決定し、変動パターン決定手段８７が演出図柄２５ａ〜２５ｃの変動パターンを決定すると、コマンド送信手段８８が演出制御基板８１側へと夫々のコマンドを送信する。演出制御基板８１側では、変動パターンコマンドを受信すると、演出図柄制御手段９１の制御により特別図柄の変動開始に同期して演出図柄２５ａ〜２５ｃが変動を開始し（図１１（ａ）参照）、その変動パターンに従って所定時間変動する。そして、各演出図柄２５ａ〜２５ｃは図１１（ｂ）（ｃ）に示すように左、右、中等の順序で停止状態に近い揺れ変動に移行し、停止コマンドに従って大当たり演出態様、外れ演出態様の何れかで最終的に停止する。また演出画像制御手段９３の制御により、演出図柄２５ａ〜２５ｃの背景画像２６が表示される。
【００４９】
例えば、判定手段８４の大当たりの判定により変動パターン決定手段８７が大当たり変動パターンの何れかを選択した場合、又は大当たり変動パターンの変動時間に近い特定のリーチあり外れ変動パターンの何れかを選択した場合には、予告演出決定手段９２が予告演出を行うか否かを決定する。そして、予告演出決定手段９２が予告演出を決定すれば、演出図柄２５ａ〜２５ｃがリーチになった後、可動演出体２４の作動と可動演出体２４及び可動アーム２３の発光と画像表示部２０の予告演出画像２７との組み合わせにより予告演出を行う。
【００５０】
即ち、可動演出体２４は通常は図１２（ａ）に示すように退避位置Ｂにあるが、３個の演出図柄２５ａ〜２５ｃが所定の変動パターンで変動する間に、図１２（ａ）に示すようにその２個の演出図柄２５ａ，２５ｃが揃うリーチになれば、可動演出制御手段９４の制御により駆動手段３５が起動する。そして、この駆動手段３５の駆動により連動機構６５のクランク機構６４等を介して可動アーム２３が枢軸６３廻りに下降方向に揺動するため、図１２（ｂ）に示すように可動演出体２４が退避位置Ｂから画像表示部２０の略中央の演出位置Ａへと作動する。このとき可動アーム２３は画像表示部２０の一方の上隅側から中央側へと一方の対角線に沿って傾斜した状態になる。
【００５１】
可動演出体２４が演出位置Ａまで作動すると、図１２（ｃ）に示すように発光演出制御手段９５の制御により、可動演出体２４の作動に同期してその停止状態のときに発光素子４０が発光し、発光カバー３８の発光表示部３６が発光状態になると共に、可動アーム２３の発光素子５０が発光して可動アーム２３の発光表示部５１が発光状態になる。一方、演出画像制御手段９３の制御により、可動演出体２４、可動アーム２３の発光に同期して画像表示部２０の可動アーム２３側以外の部分に３本の予告演出画像２７が発光して表示される。なお、図１２（ｃ）では各発光状態を斜線で示す。
【００５２】
このため可動アーム２３と３本の予告演出画像２７とが発光状態の可動演出体２４を中心としてＸ状に発光することになり、可動演出体２４の支持部材に過ぎない可動アーム２３を予告演出に活用できると共に、可動アーム２３が画像表示部２０側の予告演出画像２７の妨げとならず、可動アーム２３の発光と画像表示部２０の予告演出画像２７とが調和した予告演出が可能となる。従って、従来の可動演出体２４の作動と画像表示部２０の演出画像とを組み合わせた予告演出に比較して演出効果が向上する利点がある。
【００５３】
特に可動演出体２４が画像表示部２０の略中央の演出位置Ａにあり、この可動演出体２４を中心に発光状態の可動アーム２３と画像表示部２０の予告演出画像２７とが一体となって、放射状の線群、帯群等のように一つの纏まりのある群を形成するため、演出効果が更に向上する。
【００５４】
なお、可動アーム２３の発光、予告演出画像２７の発光はフラッシュ的に行うのが望ましいが、夫々の発光部分が可動演出体２４の発光に同期して外側又は内側へと放射方向に移動するようにしてもよい。従って、個々の具体的な表現は種々の変更が可能である。
【００５５】
予告演出は変動パターン決定手段８７が大当たり変動パターンの何れかを選択した場合、又は大当たり変動パターンの変動時間に近い特定のリーチあり外れ変動パターンの何れかを選択した場合に、予告演出決定手段９２が予告演出を行うか否かを決定して行うため、このような予告演出があれば、遊技者に対して大当たりに対する期待感を抱かせることができる。
【００５６】
その後、駆動手段３５の駆動により可動アーム２３が退避方向に揺動して可動演出体２４が退避位置Ｂへと戻ると共に、画像表示部２０に３個の演出図柄２５ａ〜２５ｃ、背景画像２６が再度表示され、その演出図柄２５ａ〜２５ｃが所定の変動パターンで変動を継続し、停止コマンドにより大当たり演出態様、外れ演出態様の何れかで停止する。
【００５７】
なお、可動演出体２４が退避位置Ｂへと戻る際には、可動演出体２４、可動アーム２３の発光は終了し、画像表示部２０の予告演出画像２７は消えるが、可動演出体２４は発光状態のままで戻す等、他の演出形態を採ってもよい。
【００５８】
機構上、可動演出体２４を支持する可動アーム２３は画像表示部２０の上隅側を支点として枢軸６３廻りに揺動するため、演出位置Ａでは可動演出体２４が画像表示部２０の略中央に位置するにも拘わらず、その可動アーム２３の移動量を比較的小さくでき、しかも機構的にも小型化することができる。更に可動アーム２３の裏側の凹部４８内に基板４９を画像表示部２０に対して略直角方向に配置しているため、可動アーム２３の幅を狭くすることができる。また基板４９の前端側に長手方向に所定の間隔をおいて複数個の発光素子５０を取り付けると共に、可動アーム２３の前壁部５２及び側壁部５３に夫々乱反射部５４を設けているので、その発光素子５０により可動アーム２３の前壁部５２は勿論のこと、両側壁部５３を確実に発光させることが可能である。
【００５９】
可動アーム２３は前壁部５２と、前壁部５２の両側に配置された一対の側壁部５３と、その一対の側壁部５３に跨がって形成された連結リブ５５とを有するためその剛性が向上する。また連結リブ５５に裏側からスリット５６を切り欠き形成し、そのスリット５６に基板４９を挿入することにより、基板４９を簡単な構造で可動アーム２３内に容易に組み込むことができる。
【００６０】
図１３は本発明の第２の実施例を例示する。この実施例では、可動演出体２４の演出位置Ａは画像表示部２０の上部側の略中央としている。可動アーム２３は稲妻状に屈曲して構成され、その裏側の凹部４８内に屈曲方向に沿って複数個の発光素子５０が配置され、予告演出時に発光素子５０の発光により可動アーム２３が稲妻状に発光するようになっている。また画像表示部２０には可動アーム２３の発光に同期して稲妻状の予告演出画像２７が表示されるようになっている。
【００６１】
このように可動演出体２４の演出位置Ａ、可動アーム２３の形状、画像表示部２０の予告演出画像２７は、画像表示部２０に表示される背景画像２６等との関係で適宜変更可能である。この場合にも画像表示部２０側の予告演出画像２７の妨げとなることなく調和した演出が可能である。
【００６２】
図１４は本発明の第３の実施例を例示する。この実施例では、上下方向に配置された可動アーム２３の下端に可動演出体２４が設けられ、また可動アーム２３はラック、ピニオン等の駆動機構９７により演出位置Ａと退避位置Ｂとの間で昇降自在である。可動アーム２３の裏側には上下方向に複数個の発光素子５０が配置され、予告演出時に発光素子５０の発光により可動アーム２３が縦長状に発光するようになっている。また画像表示部２０には可動アーム２３の発光に同期して可動演出体２４の左右両側、下側に線状の予告演出画像２７が表示されるようになっている。
【００６３】
この場合には、演出位置Ａの可動演出体２４を中心に可動アーム２３と予告演出画像２７とを十字方向に発光するため、画像表示部２０側の演出画像の妨げとなることなく調和した演出が可能である。
【００６４】
以上、本発明の各実施例について詳述したが、本発明はこの各実施例に限定されるものではなく、本発明の趣旨を逸脱しない範囲で種々の変更が可能である。例えば、実施例では、可動演出体２４は円形状に構成されているが、その他の形状でもよい。また可動演出体２４の作動による演出時に、この可動演出体２４の前面側が裏側の発光素子４０の発光により発光するようにしているが、この可動演出体２４は発光しないようにしてもよいし、その特定の一部分のみがスポット的に発光するようにしてもよい。
【００６５】
可動演出体２４の作動による演出位置Ａは、第１、第３の実施例に例示する画像表示部２０の略中央、第２の実施例に例示する画像表示部２０の上部側の左右方向の略中央等が適当であるが、その他の位置にしてもよい。また可動演出体２４の退避位置Ｂは、第１の実施例では画像表示部２０から外れて前飾り体３１の裏側に隠れる位置にしているが、可動演出体２４の一部が画像表示部２０に重なる位置でもよいし、可動演出体２４が画像表示部２０から外れ、一部又は全部が前飾り体３１から露出する位置でもよい。
【００６６】
可動演出体２４の作動方向は上下方向、左右方向の何れでもよい。また可動アーム２３は揺動運動と直線運動とを組み合わせて可動演出体２４を出退させるようにしてもよい。可動演出体２４の退避位置Ｂは画像表示部２０の周辺の位置であれば、上下、左右のどの位置に配置してもよい。可動アーム２３の正面視形状は直線状、ジグザグ状、円弧状、Ｌ字状等、画像表示部２０に表示される演出画像２７と調和する形状であれば任意の形状を選択することができる。
【００６７】
可動アーム２３の発光と同期して画像表示部２０に表示される演出画像２７は、可動演出体２４を中心としてその周辺に縦横、斜めに延びる線又は帯状とすれば、それらの演出画像２７と可動アーム２３とが調和して、可動演出体２４の周囲に放射状の発光する線群又は帯群を構成することができるが、可動アーム２３の発光と画像表示部２０の演出画像２７とが調和するものであれば他のものでもよい。
【００６８】
また実施例では可動演出体２４が作動した際に、可動アーム２３の発光と画像表示部２０の演出画像２７とによって演出を行うようにしているが、可動アーム２３の基部側の延長上に対応して前飾り体３１に可動アーム２３と同幅程度の発光表示部を設け、可動演出体２４の作動に同期してこの発光表示部が発光する表示演出を行うようにしてもよい。この場合には、画像表示部２０の外側領域に跨がって表示演出が行なわれるため、演出効果をより高めることができる。
【００６９】
合成樹脂製の透明な遊技盤１０を用いた場合には、遊技盤１０の裏側に可動アーム２３の延長上に対応して発光素子を配して、その発光素子の可動演出体２４の作動に同期した発光により、遊技盤１０の可動アーム２３の延長上に対応する部分が発光するようにしてもよい。このようにすれば、前飾り体３１の範囲を超えた遊技領域１２全体を使ったダイナミックな表示演出が可能になる。
【００７０】
画像表示部２０には可動演出体２４の作動に同期して可動アーム２３、可動演出体２４に対応する部分を除いて演出画像２７を表示するようにしているが、可動アーム２３、可動演出体２４の裏側に対応する部分にも、可動アーム２３、可動演出体２４の形状に対応する演出画像を表示するようにしてもよい。このようにすれば、駆動手段３５の故障等により可動演出体２４が退避位置から作動しなくなった場合にも、演出画像２７との整合性を保つことができる。
【００７１】
なお、可動アーム２３、可動演出体２４の形状に対応する演出画像は、可動アーム２３、可動演出体２４と同一の大きさでもよいし、可動アーム２３、可動演出体２４よりも若干小さく程度の大きさでもよい。またこれらの表示とは別に、画像表示部２０の可動演出体２４の外周に対応する部分に、可動演出体２４の発光を強調する演出画像をリング状に表示してもよい。
【００７２】
可動演出体２４が作動した際には、画像表示部２０の演出図柄２５ａ〜２５ｃは所定時間（例えば可動演出体２４が退避するまでの間）表示しないようにしてもよいし、演出位置Ａの可動演出体２４、演出画像２７と重ならない別の表示位置に移動させて表示するようにしてもよい。このようにすれば、可動演出体２４、演出画像２７による演出の妨げを防止できる。
【００７３】
また実施例では大当たりの予告演出を例示しているが、遊技中の演出であれば、他の予告演出でもよいし、予告以外の演出でもよい。要するに可動演出体２４の作動と組み合わせて行う所定の演出であればよい。その他、本発明はアレンジボール機、雀球遊技機等の他の弾球遊技機においても同様に実施可能であることは云うまでもない。
【００７４】
なお、可動演出体２４が作動した際の可動アーム２３の発光演出には、画像表示部２０の可動アーム２３に対応する部分を発光させて、その部分からの光により可動アーム２３を発光させる疑似発光演出を行うことも考えられる。この場合、可動アーム２３に光透過性を有する乱反射部を設けてもよいし、可動アーム２３に光透過用の窓孔を設けてもよい。乱反射部、窓孔は長手方向の帯状でもよいし、長手方向に複数個配列してもよい。
【図面の簡単な説明】
【００７５】
【図１】本発明の第１の実施例を示すパチンコ機の斜視図である。
【図２】同遊技盤の正面図である。
【図３】同遊技盤の一部破断平面図である。
【図４】同遊技盤の要部断面図である。
【図５】同可動演出体、可動アーム等の正面図である。
【図６】同可動演出体、可動アーム等の背面図である。
【図７】同可動アームの断面図である。
【図８】同可動演出体、可動アーム等の一部破断平面図である。
【図９】同制御系のブロック図である。
【図１０】同画像表示部の説明図である。
【図１１】同演出図柄の図柄変動の説明図である。
【図１２】同予告演出の説明図である。
【図１３】本発明の第２の実施例を示す画像表示部、可動演出体の正面図である。
【図１４】本発明の第３の実施例を示す画像表示部、可動演出体の正面図である。
【符号の説明】
【００７６】
１３  画像表示手段
２０  画像表示部
２４  可動演出体
２３  可動アーム
２７  予告演出画像
４８  凹部
４９  基板
５０  発光素子
５１  発光表示部
５２  前壁部
５３  側壁部
５４  乱反射部
５５  連結リブ
５６  スリット
Ａ  演出位置
Ｂ  退避位置
【図１】
2012166104.tif 000003
【図２】
2012166104.tif 000004
【図３】
2012166104.tif 000005
【図４】
2012166104.tif 000006
【図５】
2012166104.tif 000007
【図６】
2012166104.tif 000008
【図７】
2012166104.tif 000009
【図８】
2012166104.tif 000010
【図９】
2012166104.tif 000011
【図１０】
2012166104.tif 000012
【図１１】
2012166104.tif 000013
【図１２】
2012166104.tif 000014
【図１３】
2012166104.tif 000015
【図１４】
2012166104.tif 000016
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
画像を表示する画像表示手段と、前面に発光表示部を有し且つ前記画像表示手段の前側の演出位置と該演出位置から退避する退避位置との間で出退移動する可動演出手段とを備え、前記可動演出手段は前記発光表示部を裏側から発光させる発光素子を備え、前記可動演出手段の前記演出位置への移動、前記発光表示部の発光及び前記画像表示手段の演出画像の表示が同期するようにしたことを特徴とする弾球遊技機。
【請求項２】
前記可動演出手段の前記退避位置への移動、前記発光表示部の発光終了及び前記画像表示手段の前記演出画像の表示終了が同期するようにしたことを特徴とする請求項１に記載の弾球遊技機。
【手続補正２】
【補正対象書類名】明細書
【補正対象項目名】０００６
【補正方法】変更
【補正の内容】
【０００６】
本発明は、このような従来の問題点に鑑み、可動演出手段の移動、発光表示部の発光及び画像表示手段の演出画像の表示により調和のとれた効果的な演出を行うことができる弾球遊技機を提供することを目的とする。
【手続補正３】
【補正対象書類名】明細書
【補正対象項目名】０００７
【補正方法】変更
【補正の内容】
【０００７】
本発明は、画像を表示する画像表示手段と、前面に発光表示部を有し且つ前記画像表示手段の前側の演出位置と該演出位置から退避する退避位置との間で出退移動する可動演出手段とを備え、前記可動演出手段は前記発光表示部を裏側から発光させる発光素子を備え、前記可動演出手段の前記演出位置への移動、前記発光表示部の発光及び前記画像表示手段の演出画像の表示が同期するようにしたものである。
前記可動演出手段の前記退避位置への移動、前記発光表示部の発光終了及び前記画像表示手段の前記演出画像の表示終了が同期するようにしてもよい。
【手続補正４】
【補正対象書類名】明細書
【補正対象項目名】０００８
【補正方法】変更
【補正の内容】
【０００８】
本発明によれば、可動演出手段の移動、発光表示部の発光及び画像表示手段の演出画像の表示により調和のとれた効果的な演出を行うことができる利点がある。